(57)【要約】      （修正有）【課題】たとえばベランダガーデニングにおいて屋根下にグリーンカーテンの支点をとるような用途に適した、建物の要所に一対の紐掛け金具を配設する構造を提供する。【解決手段】室内外を区切る壁面にほぼ沿った方向に間隔をおいて右側金具１と左側金具２が屋根下面に固定されている。右側金具１と左側金具２はともに、長い主棒部の下端に、短い副棒部が、約３／４円形のループ棒部を介してα字型に繋がった一連の屈曲棒からなり、主棒部の下端側に副棒部が間隔をあけて交差している。右側金具１と左側金具２はともに、上端に設けられた固定構造部により屋根下面に固定され、主棒部が下向きに配置され、副棒部が横向きに配置される。右側金具１と左側金具２の屈曲棒の形態は対称になっており、右側金具１においては副棒部は主棒部の右側に位置して先端が室内側を向き、左側金具２においては副棒部が主棒部の左側に位置して先端が室内側を向いている。【選択図】図４
0003177382.tif 000002
【実用新案登録請求の範囲】
【請求項１】
つぎの事項（１）〜（４）により特定される一対の紐掛け金具の配設構造。
（１）室内外を区切る壁面にほぼ沿った方向に間隔をおいて右側金具と左側金具が屋根下面に固定されていること
（２）右側金具と左側金具はともに、長い主棒部の下端に、短い副棒部が、約３／４円形のループ棒部を介してα字型に繋がった一連の屈曲棒からなり、主棒部の下端側に副棒部が間隔をあけて交差していること
（３）右側金具と左側金具はともに、上端に設けられた固定構造部により屋根下面に固定され、主棒部が下向きに配置され、副棒部が横向きに配置されること
（４）右側金具と左側金具の屈曲棒の形態は対称になっており、右側金具においては副棒部は主棒部の右側に位置して先端が室内側を向き、左側金具においては副棒部が主棒部の左側に位置して先端が室内側を向いていること
【請求項２】
つぎの事項（１）〜（４）により特定される一対の紐掛け金具の配設構造。
（１）ほぼ水平方向に間隔をおいて右側金具と左側金具が外壁面に固定されていること
（２）右側金具と左側金具はともに、長い主棒部の一端に、短い副棒部が、約３／４円形のループ棒部を介してα字型に繋がった一連の屈曲棒からなり、主棒部の他端側に副棒部が間隔をあけて交差していること
（３）右側金具と左側金具はともに、一端に設けられた固定構造部により外壁面に固定され、主棒部が横向きに配置され、副棒部が上向きに配置されること
（４）右側金具と左側金具の屈曲棒の形態は対称になっており、右側金具においては副棒部は主棒部の右側に位置して先端が上方を向き、左側金具においては副棒部が主棒部の左側に位置して先端が上方を向いていること
【請求項３】
一対の前記金具の前記固定構造部は雄ネジが形成されたボルト部であり、建物側に埋め込まれたナットにねじ込んで固定される
請求項１または請求項２に記載の一対の紐掛け金具の配設構造。
【請求項４】
一対の前記金具の前記固定構造部は木ねじ部である
請求項１または請求項２に記載の一対の紐掛け金具の配設構造。
【請求項５】
一対の前記金具の前記固定構造部は、前記主棒部の端面に主棒部と直行する取付面を有するフランジ部であり、このフランジ部に複数個の取付穴が形成されている
請求項１または請求項２に記載の一対の紐掛け金具の配設構造。
【考案の詳細な説明】
【技術分野】
【０００１】
この考案は、たとえばベランダガーデニングにおいて屋根下に園芸用ネットの支点をとるような目的で、建物の要所に一対の紐掛け金具を配設する構造に関する。
【背景技術】
【０００２】
マンションなどのベランダにおいてガーデニングを楽しむために、下記に例示するような各種の器具が考案されている。
・特開２０００−２７４１５７号公報「ガーデニング用サッシ」
・特開２００１−３５２８４０号公報「ベランダや塀の上のガーデニング」
・特開２００１−９５３９２号公報「支柱等設置用トレリス及びその取付金具」
・特開平１１−２４４１１１号公報「プランター吊下具」
・特開２００２−８５２２５号公報「吊り下げ具」
【考案の開示】
【０００３】
＝＝＝考案の概要＝＝＝
この考案は、マンションのベランダにニガウリやヘチマや朝顔などのグリーンカーテンを植栽することがきっかけとなって創作された。グリーンカーテンを植栽するには、ベランダの手すりなどを利用してプランターを設置するとともに、プランターの位置からベランダ屋根の下面に向けてツルを絡ませる園芸用ネットを設置する必要がある。ここで最重要の事柄は、園芸用ネットの取付取外しやガーデニングの作業を行っている人が転落しないこと、そして、プランターやネットあるいは成長した植物などをベランダから落下させてはならないことである。
【０００４】
上記のガーデニングにおいては、ベランダ屋根の下面あるいはその近くの壁面に園芸用ネットの上部支点をとらなければならない。つまりネットの上端を何かに引っ掛ける必要がある。マンションのベランダ周辺には、物干金物やガス給湯器、避難ハッチなどが設置されているが、グリーンカーテンの好ましいレイアウトを考えると、多くの場合、物干金物やエアコン設置用金具などの他の設備を園芸用ネットの上部支点として都合よく流用することができないばかりか、ガス給湯器や避難ハッチなどがネット上部支点の障害になることもある。
【０００５】
そこで、ベランダ屋根下やその近くの壁面の適切な場所ににグリーンカーテンの上部支点となる紐掛け金具を設置しようと考え、相反する以下のふたつの事項を考慮しつつ、この考案を創作したものである。もちろん、その紐掛け金具は必要最小限の大きさで、取付場所を選ばない単純な形状が好ましい。
（ア）金具に手が届かなくても簡単な補助具を用いて金具に園芸用ネットなどの紐を引っ掛けることと、金具から紐を外すことが簡単に行えること
（イ）設置したネットに絡んで植物が成長すると、大きな風圧を受けて激しく揺れることがあるが、その場合でも、金具に引っ掛けてある紐が外れないこと
【０００６】
＝＝＝考案の核心＝＝＝
第１の考案に係る一対の紐掛け金具の配設構造は、つぎの事項（１）〜（４）により特定されるものである。
（１）室内外を区切る壁面にほぼ沿った方向に間隔をおいて右側金具と左側金具が屋根下面に固定されていること
（２）右側金具と左側金具はともに、長い主棒部の下端に、短い副棒部が、約３／４円形のループ棒部を介してα字型に繋がった一連の屈曲棒からなり、主棒部の下端側に副棒部が間隔をあけて交差していること
（３）右側金具と左側金具はともに、上端に設けられた固定構造部により屋根下面に固定され、主棒部が下向きに配置され、副棒部が横向きに配置されること
（４）右側金具と左側金具の屈曲棒の形態は対称になっており、右側金具においては副棒部は主棒部の右側に位置して先端が室内側を向き、左側金具においては副棒部が主棒部の左側に位置して先端が室内側を向いていること
【０００７】
第２の考案に係る一対の紐掛け金具の配設構造は、つぎの事項（１）〜（４）により特定されるものである。
（１）ほぼ水平方向に間隔をおいて右側金具と左側金具が外壁面に固定されていること
（２）右側金具と左側金具はともに、長い主棒部の一端に、短い副棒部が、約３／４円形のループ棒部を介してα字型に繋がった一連の屈曲棒からなり、主棒部の他端側に副棒部が間隔をあけて交差していること
（３）右側金具と左側金具はともに、一端に設けられた固定構造部により外壁面に固定され、主棒部が横向きに配置され、副棒部が上向きに配置されること
（４）右側金具と左側金具の屈曲棒の形態は対称になっており、右側金具においては副棒部は主棒部の右側に位置して先端が上方を向き、左側金具においては副棒部が主棒部の左側に位置して先端が上方を向いていること
【図面の簡単な説明】
【０００８】
【図１】ベランダ屋根の下面に一対の紐掛け金具（右側金具１と左側金具２）を取り付けた状態の概略図
【図２】右側金具１の詳細図
【図３】左側金具２の詳細図
【図４】図１に園芸用ネットの輪状紐３と４を付加した図
【図５】図２に輪状紐３を付加した図
【図６】図３に輪状紐４を付加した図
【実施例】
【０００９】
図１に示しているのは、ベランダ屋根の下面に一対の紐掛け金具（右側金具１と左側金具２）を取り付けた実施例である。この実施例において、図２は右側金具１の詳細を示し、図３は左側金具２の詳細を示している。また図４・図５・図６はそれぞれ図１・図２・図３に対応し、園芸用ネットの紐を金具１と２に引っ掛けた状態を示している。ここで、右側・左側というのは、室内からベランダを見た場合の相対的な位置関係である。
【００１０】
図２に示すように、右側金具１は、長い主棒部１１の下端に、短い副棒部１２が、約３／４円形のループ棒部１３を介してα字型に繋がった一連の屈曲棒からなり、主棒部１１の下端側に副棒部１２が間隔をあけて交差している。主棒部１１の上端部分は雄ネジを形成したボルト部１４となっている。この実施例では、棒材の直径は約１０ミリメートルであり、ループ棒部１３の外周の直径は約５０ミリメートルとなっている。また、主棒部１１と副棒部１２の交差部の間隔は約６ミリメートルとなっている。また図から明らかなように、この実施例では、主棒部１１と副棒部１２とは直交している。
【００１１】
図３に示すように、左側金具２は、長い主棒部２１の下端に、短い副棒部２２が、約３／４円形のループ棒部２３を介してα字型に繋がった一連の屈曲棒からなり、主棒部２１の下端側に副棒部２２が間隔をあけて交差しているという点、ボルト部２４が形成されている点、およびその寸法に関しては右側金具１と同じである。
【００１２】
図２と図３を対比すると理解できるように、右側金具１と左側金具２の屈曲棒の形態は対称になっている。つまり、右側金具１と左側金具２が同じようにα字型に見えるように配置した場合、右側金具１では副棒部１２が手前になり、左側金具２では主棒部２１が手前になる。
【００１３】
図１の実施例では、ベランダ屋根の下面に右側金具１と左側金具２を取り付けている。右側金具１と左側金具２を結ぶ方向は、ベランダの長手方向とほぼ平行である（室内外を区切る壁面にほぼ沿った方向）。右側金具１と左側金具２の間隔は、園芸用ネットの好ましい幅寸法に合わせてある。そのような位置にボルト部１４、ボルト部２４をねじ込むナットが埋め込まれている。
【００１４】
右側金具１および左側金具２を固定する回転位置が重要な要素となる。右側金具１については、室内側から見て、主棒部１１の右側に副棒部１２が位置し、副棒部１２の先端が室内側を向く姿勢で固定する。左側金具２については、同じく室内側から見て、主棒部２１の左側に副棒部２２が位置し、副棒部２２の先端が室内側を向く姿勢で固定する。この固定を確実にするために、ボルト部１４およびボルト部２４の根本部分にあらかじめナットを装着しておき、ベランダ屋根の埋め込みナットにボルト部１４、２４をねじ込んで所定の姿勢にして根本のナットで固定することが望ましい。
【００１５】
以上のように設置した一対の紐掛け金具に園芸用ネットの輪状紐を引っ掛けた状態を図４、図５、図６に示している。右側金具１には輪状紐３が引っ掛かっており、左側金具２には輪状紐４が引っ掛かっている。もちろん輪状紐３と輪状紐４は園芸用ネットで繋がっている。
【００１６】
園芸用ネットに絡んで植物が成長し、風圧を受けてネットが揺れる状態を想定する。右側金具１に引っ掛かっている輪状紐３はネットに繋がっているので、ネットの揺れにより輪状紐３は左側に強く引っ張られるが、右側に大きく引っ張られることはない。右側金具１の副棒部１２は主棒部１１の右側に位置しているので、左側に引っ張られる輪状紐３が副棒部１２から抜けるような動きはしない。
【００１７】
また、園芸ネットの前後の動きについて考えてみる。主棒部１１はループ棒部１３より室内よりに位置しているので、輪状紐３が室内側へ引っ張られても、主棒部１１にあたって外れることはない。輪状紐３が室外側へ引っ張られても、副棒部１２の先端は主棒部１１と交差して室内側を向いているので、輪状紐３が副棒部１２から抜け出ることはない。
【００１８】
左側金具２と輪状紐４の関係は上述した右側と対称の関係になっているので、上述したのと同様な作用により、園芸用ネットが大きく揺れても輪状紐４が左側金具２から外れることはない。
【００１９】
ベランダ屋根下に固定された一対の金具に輪状紐を引っ掛ける作業がどのようなものになるのかは、以上詳しく説明した右側金具１と左側金具２の形態および姿勢から容易に想像できるであろう。金具に手が届かなくても、先端が二又の補助棒に輪状紐を引っ掛けて金具の副棒部の先端に引っ掛けることができれば良く、それだけでほぼ作業終了である。きわめて簡単である。そのうえ、上述したように園芸用ネットが大きく揺れても外れることはない。
【００２０】
図２と図３に示した金具を壁面に取り付ける場合も、以上の実施例と同様の作用効果を奏することができる。つまり、右側金具１の主棒部１１がほぼ水平な姿勢で壁面に取り付け、副棒部１２が主棒部１１の右側に位置して先端が上を向く姿勢で固定する。左側金具２も同様に主棒部２１を横向きにして壁面に取り付け、副棒部２２が主棒部２１の左側に位置して先端が上を向く姿勢で固定する。
【００２１】
金具を建物に取り付ける構成としては実施例のボルト部に限定されない。木ねじでも良い。また、前記主棒部の端面に主棒部と直行する取付面を有するフランジ部を一体形成し、このフランジ部に複数個の取付穴を形成しておく構成としても良い。
【符号の説明】
【００２２】
１…右側金具、１１…主棒部、１２…副棒部、１３…ループ棒部、１４…ボルト部、２…左側金具、２１…主棒部、２２…副棒部、２３…ループ棒部、２４…ボルト部、３…輪状紐、４…輪状紐
【図１】
0003177382.tif 000003
【図２】
0003177382.tif 000004
【図３】
0003177382.tif 000005
【図４】
0003177382.tif 000006
【図５】
0003177382.tif 000007
【図６】
0003177382.tif 000008